(57)【要約】      （修正有）【課題】組み立て性が良く、一方側枠補強部材及び他方側枠補強部材によるパネル体保持性能が高い戸体を提供する。【解決手段】パネル体３を支持する一対の一方側枠及び一対の他方側枠に設けられたパネル体呑み込み溝内にそれぞれ収容される、一方側枠補強部材３５及び他方側枠補強部材３７は、パネル体の面内方向における外側に位置する基面３５ａ，３７ａと、基面からパネル体の一方面に対向するように折り曲げられた第一折り曲げ面３５ｂ，３７ｂと、基面からパネル体の他方面５ａに対向するように折り曲げられた第二折り曲げ面３５ｃ，３７ｃとを、それぞれ備え、一方側枠補強部材の第二折り曲げ面は、他方面に直接的又は間接的に接触する一方で、一方側枠補強部材の第一折り曲げ面は、一方面に接触せず、他方側枠補強部材の第一折り曲げ面は、一方面に直接的又は間接的に接触する一方で、他方側枠補強部材の第二折り曲げ面は、他方面に接触しない。【選択図】図６
2016030996.tif 000002
【特許請求の範囲】
【請求項１】
矩形のパネル体と、
該パネル体の一方側の対向辺を呑み込むパネル体呑み込み溝を備える一対の一方側枠と、
該パネル体の他方側の対向辺を呑み込むパネル体呑み込み溝を備える一対の他方側枠と、
を有し、
前記一対の一方側枠と一対の他方側枠にはパネル体呑み込み溝内に、不燃性または難燃性の一方側枠補強部材及び他方側枠補強部材がそれぞれ収容され、
前記一方側枠補強部材及び前記他方側枠補強部材は、前記パネル体の面内方向における外側に位置する基面と、該基面から前記パネル体の一方面に対向するように折り曲げられた第一折り曲げ面と、該基面から前記パネル体の他方面に対向するように折り曲げられた第二折り曲げ面とを、それぞれ備える戸体であって、
前記一方側枠補強部材の前記第二折り曲げ面は、前記他方面に直接的又は間接的に接触する一方で、前記一方側枠補強部材の前記第一折り曲げ面は、前記一方面に接触せず、
前記他方側枠補強部材の前記第一折り曲げ面は、前記一方面に直接的又は間接的に接触する一方で、前記他方側枠補強部材の前記第二折り曲げ面は、前記他方面に接触しないことを特徴とする戸体。
【請求項２】
請求項１に記載の戸体であって、
前記一方側枠補強部材の前記第一折り曲げ面及び前記他方側枠補強部材の前記第二折り曲げ面には、加熱発泡材が設けられていることを特徴とする戸体。
【発明の詳細な説明】
【技術分野】
【０００１】
本発明は、戸体に関する。
【背景技術】
【０００２】
パネル体と横框等の一対の一方側枠と縦框等の一対の他方側枠を備える扉等の戸体は、既によく知られている。このような戸体においては、当該パネル体を呑み込むパネル体呑み込み溝が一方側枠と他方側枠にそれぞれ備えられている。
【０００３】
また、このような戸体の中には、防火のため、一対の一方側枠と一対の他方側枠におけるパネル体呑み込み溝内に、不燃性または難燃性の一方側枠補強部材及び他方側枠補強部材がそれぞれ収容されているものがある。この一方側枠補強部材及び他方側枠補強部材は、パネル体の面内方向における外側に位置する基面と、当該基面からパネル体の一方面に対向するように折り曲げられた第一折り曲げ面と、当該基面からパネル体の他方面に対向するように折り曲げられた第二折り曲げ面とを、それぞれ備えている。
【先行技術文献】
【特許文献】
【０００４】
【特許文献１】特開２００５−１６３２６５号公報
【発明の概要】
【発明が解決しようとする課題】
【０００５】
従来は、一方側枠補強部材（他方側枠補強部材）の第一折り曲げ面と第二折り曲げ面の双方が、パネル体の一方面や他方面に直接的又は間接的に接触していた。そのため、扉を組み立てる際に、接触点が複数あるため、折り曲げ面とパネル体面間の摩擦が大きくなることに起因して、組み立て性が良好でない問題が生じていた。また、組み立て性を改善するために設計を変更するにしても、一方側枠補強部材及び他方側枠補強部材によるパネル体保持性能は高いままとしたい旨の要請があった。
【０００６】
本発明は、かかる課題に鑑みてなされたものであり、その目的とするところは、組み立て性が良く、一方側枠補強部材及び他方側枠補強部材によるパネル体保持性能が高い戸体を実現することにある。
【課題を解決するための手段】
【０００７】
かかる目的を達成するために本発明の戸体は、矩形のパネル体と、
該パネル体の一方側の対向辺を呑み込むパネル体呑み込み溝を備える一対の一方側枠と、
該パネル体の他方側の対向辺を呑み込むパネル体呑み込み溝を備える一対の他方側枠と、
を有し、
前記一対の一方側枠と一対の他方側枠にはパネル体呑み込み溝内に、不燃性または難燃性の一方側枠補強部材及び他方側枠補強部材がそれぞれ収容され、
前記一方側枠補強部材及び前記他方側枠補強部材は、前記パネル体の面内方向における外側に位置する基面と、該基面から前記パネル体の一方面に対向するように折り曲げられた第一折り曲げ面と、該基面から前記パネル体の他方面に対向するように折り曲げられた第二折り曲げ面とを、それぞれ備える戸体であって、
前記一方側枠補強部材の前記第二折り曲げ面は、前記他方面に直接的又は間接的に接触する一方で、前記一方側枠補強部材の前記第一折り曲げ面は、前記一方面に接触せず、
前記他方側枠補強部材の前記第一折り曲げ面は、前記一方面に直接的又は間接的に接触する一方で、前記他方側枠補強部材の前記第二折り曲げ面は、前記他方面に接触しないことを特徴とする戸体である。
【０００８】
このような戸体によれば、戸体を組み立てる際に、接触点が減少し、組み立て性が向上する。また、組み立て性を考慮して、設計を改変した場合であっても、一方側枠補強部材及び他方側枠補強部材によるパネル体保持性能を維持することが可能となる。したがって、組み立て性が良く、一方側枠補強部材及び他方側枠補強部材によるパネル体保持性能が高い戸体を実現することができる。
【０００９】
かかる戸体であって、前記一方側枠補強部材の前記第一折り曲げ面及び前記他方側枠補強部材の前記第二折り曲げ面には、加熱発泡材が設けられていることが望ましい。
【００１０】
このような戸体によれば、火災の際に加熱発泡材が膨張して、一方側枠補強部材の第一折り曲げ面と一方面との間に形成されている隙間を埋めてくれるので、当該隙間を火炎が通過することが適切に抑えられる。同様に、火災の際に加熱発泡材が膨張して、他方側枠補強部材の第二折り曲げ面と他方面との間に形成されている隙間を埋めてくれるので、当該隙間を火炎が通過することが適切に抑えられる。そのため、防火性能を向上させることが可能となる。
【発明の効果】
【００１１】
本発明によれば、組み立て性が良く、一方側枠補強部材及び他方側枠補強部材によるパネル体保持性能が高い戸体を実現することができる。
【図面の簡単な説明】
【００１２】
【図１】建具１の正面模式図である。
【図２】建具１の縦断面図である。
【図３】建具１の横断面図である。
【図４Ａ】縦框呑み込み溝３６及び横框呑み込み溝３４の断面図である。
【図４Ｂ】縦框呑み込み溝３６及び横框呑み込み溝３４の断面図である。
【図５】扉２０のコーナー部分における補強部材や加熱発泡材７０の位置を表した正面図である。
【図６】扉２０のコーナー部分における補強部材や加熱発泡材７０の位置を表した斜視図である。
【図７Ａ】第二実施形態に係る縦框呑み込み溝３６及び横框呑み込み溝３４の断面図である。
【図７Ｂ】第二実施形態に係る縦框呑み込み溝３６及び横框呑み込み溝３４の断面図である。
【発明を実施するための形態】
【００１３】
＝＝＝本実施の形態に係る建具１について＝＝＝
以下、本発明の一実施形態に係る建具１について図１乃至図３を参照して説明する。図１は、枠体１０に扉２０が設けられた建具１の正面模式図である。図２は、建具１（図１）の縦断面図である。図３は、建具１（図１）の横断面図である。
【００１４】
本実施形態の建具１は、図１乃至図３に示すように、矩形状に枠組みされて開口を形成する枠体１０と、枠体１０に回動自在に支持されて開口を閉塞自在な戸体の一例としての扉２０とを備えている。
【００１５】
以下の説明においては、建具１が建物等に取り付けられた状態において、上下となる方向を上下方向、左右となる方向を左右方向、室内外方向である奥行き方向を見込み方向として示す。
【００１６】
本実施形態の建具１は、上下の上枠１１及び下枠１２と左右の縦枠１３とが枠組みされた四方枠としての枠体１０と、一方の縦枠１３側にて回動自在に支持され、回動することにより枠体１０にて形成される開口を開閉可能な扉２０と、を有している。
【００１７】
上枠１１、下枠１２、左右の縦枠１３は、いずれも室外側に配置されるアルミニウム製の押出成形部材でなる外枠部１１ａ、外枠部１２ａ、外枠部１３ａと、外枠部１１ａ、外枠部１２ａ、外枠部１３ａの室内側に取り付けられる合成樹脂製の押出成形部材でなる内枠材１１ｂ、内枠材１２ｂ、内枠材１３ｂと、を有している。外枠部１１ａ、外枠部１２ａ、外枠部１３ａは、いずれも長手方向に貫通する枠中空部１１ｃ、枠中空部１２ｃ、枠中空部１３ｃを有している。
【００１８】
扉２０は、上下方向に延びて配置される縦框（戸先框２１及び吊り元框２２）から成り、これらの上端部と下端部間に上下一対の横框（上框２４及び下框２５）が架設され矩形状に框組みされた框体２３と、框体２３に囲まれた領域を塞ぐように設けられた矩形のパネル体の一例としての複層ガラス３とを有している。なお、吊り元框２２は一方の縦枠１３側にてヒンジ等の機構により回動自在に支持されている。
【００１９】
戸先框２１、吊り元框２２、上框２４、下框２５は、いずれも室外側に配置されてアルミニウム製の押出成形部材でなる外框部２１ａ、外框部２２ａ、外框部２４ａ、外框部２５ａと、外框部２１ａ、外框部２２ａ、外框部２４ａ、外框部２５ａの室内側に取り付けられる合成樹脂製の押出成形部材でなる内框材２１ｂ、内框材２２ｂ、内框材２４ｂ、内框材２５ｂと、を有しアルミ樹脂複合の部材となっている。
【００２０】
外框部２１ａ、外框部２２ａ、外框部２４ａ、外框部２５ａは、いずれも長手方向に貫通する框中空部２１ｃ、框中空部２２ｃ、框中空部２４ｃ、框中空部２５ｃを有している。また、内框材２１ｂ、内框材２２ｂも、長手方向に貫通する框中空部２１ｄ、框中空部２２ｄ、框中空部２４ｄ、框中空部２５ｄを有している。
【００２１】
さらに、外框部２１ａ、外框部２２ａ、外框部２４ａ、外框部２５ａと内框材２１ｂ、内框材２２ｂ、框中空部２４ｃ、框中空部２５ｃは、いずれも複層ガラス３の方へ延出した延出部を備えており、この延出部により、複層ガラス３を呑み込むガラス呑み込み溝３０（所謂ガラス開口部）が構成されている。ガラス呑み込み溝３０については、後に詳述する。
【００２２】
複層ガラス３は、外側の網入りガラス４と内側のガラス５とが見込み方向において間隔を隔てて対面し、ガラス４とガラス５の上下方向と左右方向の内周端には、内部に乾燥剤が封入されたスペーサー６が設けられている。そして、スペーサー６は、不図示のシールにより、ガラス４とガラス５の各々に接着されている。
【００２３】
＝＝＝本実施の形態に係るガラス呑み込み溝３０について＝＝＝
次に、本実施の形態に係るパネル対呑み込み溝の一例としてのガラス呑み込み溝３０について図４Ａ乃至図６を用いて説明する。図４Ａ及び図４Ｂは、縦框呑み込み溝３６及び横框呑み込み溝３４の断面図である。図５は、扉２０のコーナー部分における補強部材や加熱発泡材７０の位置を表した正面図である。図６は、扉２０のコーナー部分における補強部材や加熱発泡材７０の位置を表した斜視図である。
【００２４】
なお、図４Ａ及び図４Ｂにおいては、図を分かり易くするために、複層ガラス３の記載を省略している。また、図５及び図６においては、同様の理由で、ガスケット３８の記載を省略している。
【００２５】
ガラス呑み込み溝３０は、一対の一方側枠の一例としての縦框（戸先框２１及び吊り元框２２）又は一対の他方側枠の一例としての横框（上框２４及び下框２５）に設けられ、矩形の複層ガラス３の対向辺を呑み込む部分である。当該ガラス呑み込み溝３０としては、縦框に設けられ、複層ガラス３の一方側の対向辺（左右方向における両端部）をそれぞれ呑み込む一対の縦框ガラス呑み込み溝（以下、単に、縦框呑み込み溝３６と呼ぶ）と、横框に設けられ、複層ガラス３の一方側の対向辺（上下方向における両端部）をそれぞれ呑み込む一対の横框ガラス呑み込み溝（以下、単に、横框呑み込み溝３４と呼ぶ）が備えられている。縦框呑み込み溝３６は、長尺な溝であり、その長手方向は、上下方向に沿っている。また、横框呑み込み溝３４は、長尺な溝であり、その長手方向は、左右方向に沿っている。
【００２６】
縦框呑み込み溝３６は、横断面において、コの字形状を有している。すなわち、縦框呑み込み溝３６は、横断面において、見込み方向に沿い前述した框中空部２１ｃ、框中空部２２ｃ、框中空部２１ｄ、框中空部２２ｄと隣り合う第一見込み方向部分３６ａと、第一見込み方向部分３６ａの両端から左右方向における内側へ延出した左右方向に沿った第一左右方向部分３６ｂ及び第二左右方向部分３６ｃと、第一左右方向部分３６ｂ及び第二左右方向部分３６ｃの各々の端からそれぞれ見込み方向における内側へ延出した見込み方向に沿った第二見込み方向部分３６ｄ及び第三見込み方向部分３６ｅと、を備えている。
【００２７】
第二見込み方向部分３６ｄと第三見込み方向部分３６ｅとの間には、開口が形成され、この開口に複層ガラス３の側端部が挿入されている。また、第二見込み方向部分３６ｄと複層ガラス３（具体的には、ガラス４）の間と第三見込み方向部分３６ｅと複層ガラス３（具体的には、ガラス５）の間には、ガスケット３８が介在され、このことにより、複層ガラス３が縦框呑み込み溝３６に支持されている。
【００２８】
なお、第一見込み方向部分３６ａの室外側はアルミニウム製、室内側は合成樹脂製となっている。また、第一左右方向部分３６ｂ及び第二見込み方向部分３６ｄはアルミニウム製、第二左右方向部分３６ｃ及び第三見込み方向部分３６ｅは合成樹脂製となっている。
【００２９】
縦框呑み込み溝３６内には、不燃性または難燃性の他方側枠補強部材の一例としての縦框補強部材３７が収容されている。この縦框補強部材３７は、火災により、アルミニウム製又は合成樹脂製の縦框呑み込み溝３６が溶融したとしても、複層ガラス３が脱落しないようにする機能を備えている。縦框補強部材３７は、縦框呑み込み溝３６の長手方向における一端部から他端部に亘って設けられている（図５及び図６参照）。
【００３０】
縦框補強部材３７は、横断面においてコの字形状を有するステンレス又は鋼製の部材である。すなわち、縦框補強部材３７は、複層ガラス３の面内方向における（複層ガラス３の）外側に位置する基面（縦框基面３７ａと呼ぶ）を有している。この縦框基面３７ａは、複層ガラス３の側端３ａの側方に位置し面外方向が左右方向に沿った面である。縦框補強部材３７は、ビスやリベット等の固着具７２により縦框基面３７ａが外框部２１ａ、外框部２２ａに固着されることにより、縦框に固定されている。
【００３１】
さらに、縦框補強部材３７は、縦框基面３７ａから複層ガラス３に対向するように折り曲げられた折り曲げ面として、ガラス４側の面（つまり、室外側のガラス外面。以下、室外側面４ａと呼ぶ）に対向するように折り曲げられた第一折り曲げ面（縦框第一折り曲げ面３７ｂと呼ぶ）と、ガラス５側の面（つまり、室内側のガラス外面。以下、室内側面５ａと呼ぶ）に対向するように折り曲げられた第二折り曲げ面（縦框第二折り曲げ面３７ｃと呼ぶ）と、を有している。なお、室外側面４ａがガラスの一方面に相当し、室内側面５ａがガラスの他方面に相当する。
【００３２】
すなわち、縦框基面３７ａは、横断面において見込み方向に沿った状態で、側端３ａと第一見込み方向部分３６ａとの間に位置している。また、縦框第一折り曲げ面３７ｂは、横断面において左右方向に沿った状態で、ガラス４（室外側面４ａ）と第一左右方向部分３６ｂとの間に位置している。また、縦框第二折り曲げ面３７ｃは、横断面において左右方向に沿った状態で、ガラス５（室内側面５ａ）と第二左右方向部分３６ｃとの間に位置している。
【００３３】
なお、縦框第一折り曲げ面３７ｂは、室外側面４ａに直接的又は間接的に（本実施の形態においては、間接的に）接触する。すなわち、縦框第一折り曲げ面３７ｂは、ガスケット３８を介して室外側面４ａに接触している。一方で、縦框第二折り曲げ面３７ｃは、室内側面５ａに接触していない。
【００３４】
また、縦框呑み込み溝３６内には、加熱発泡材７０が設けられている。この加熱発泡材７０は、火災の際に火炎に晒されると膨張して、その体積が大きくなる。そして、このことにより、隙間を埋め、火炎の通り道を塞ぐことができる。この加熱発泡材７０は、縦框呑み込み溝３６内において、縦框基面３７ａの見込み方向における室内側に設けられ、かつ、縦框基面３７ａと側端３ａとの間に位置している。
【００３５】
横框呑み込み溝３４は、縦断面において、コの字形状を有している。すなわち、横框呑み込み溝３４は、縦断面において、見込み方向に沿い前述した框中空部２４ｃ、框中空部２５ｃ、框中空部２４ｄ、框中空部２５ｄと隣り合う第一見込み方向部分３４ａと、第一見込み方向部分３４ａの両端から上下方向における内側へ延出した上下方向に沿った第一上下方向部分３４ｂ及び第二上下方向部分３４ｃと、第一上下方向部分３４ｂ及び第二上下方向部分３４ｃの各々の端からそれぞれ見込み方向における内側へ延出した見込み方向に沿った第二見込み方向部分３４ｄ及び第三見込み方向部分３４ｅと、を備えている。
【００３６】
第二見込み方向部分３４ｄと第三見込み方向部分３４ｅとの間には、開口が形成され、この開口に複層ガラス３の上下端部が挿入されている。また、第二見込み方向部分３４ｄと複層ガラス３（具体的には、ガラス４）の間と第三見込み方向部分３４ｅと複層ガラス３（具体的には、ガラス５）の間には、ガスケット３８が介在され、このことにより、複層ガラス３が横框呑み込み溝３４に支持されている。
【００３７】
なお、第一見込み方向部分３４ａの室外側はアルミニウム製、室内側は合成樹脂製となっている。また、第一上下方向部分３４ｂ及び第二見込み方向部分３４ｄはアルミニウム製、第二上下方向部分３４ｃ及び第三見込み方向部分３４ｅは合成樹脂製となっている。
【００３８】
横框呑み込み溝３４内には、不燃性または難燃性の一方側枠補強部材の一例としての横框補強部材３５が収容されている。この横框補強部材３５は、火災により、アルミニウム製又は合成樹脂製の横框呑み込み溝３４が溶融したとしても、複層ガラス３が脱落しないようにする機能を備えている。横框補強部材３５は、横框呑み込み溝３４の長手方向における一端部から他端部に亘って設けられている（図５及び図６参照）。
【００３９】
横框補強部材３５は、縦断面においてコの字形状を有するステンレス又は鋼製の部材である。すなわち、横框補強部材３５は、複層ガラス３の面内方向における（複層ガラス３の）外側に位置する基面（横框基面３５ａと呼ぶ）を有している。この横框基面３５ａは、複層ガラス３の上端３ｃの上方又は下端３ｂの下方に位置し面外方向が上下方向に沿った面である。横框補強部材３５は、ビスやリベット等の固着具７２により横框基面３５ａが外框部２４ａ、外框部２５ａに固着されることにより、横框に固定されている。
【００４０】
さらに、横框補強部材３５は、横框基面３５ａから複層ガラス３に対向するように折り曲げられた折り曲げ面として、室外側面４ａに対向するように折り曲げられた第一折り曲げ面（横框第一折り曲げ面３５ｂと呼ぶ）と、室内側面５ａに対向するように折り曲げられた第二折り曲げ面（横框第二折り曲げ面３５ｃと呼ぶ）と、を有している。
【００４１】
すなわち、横框基面３５ａは、縦断面において見込み方向に沿った状態で、下端３ｂ（又は、上端３ｃ）と第一見込み方向部分３４ａとの間に位置している。また、横框第一折り曲げ面３５ｂは、縦断面において上下方向に沿った状態で、ガラス４（室外側面４ａ）と第一上下方向部分３４ｂとの間に位置している。また、横框第二折り曲げ面３５ｃは、縦断面において上下方向に沿った状態で、ガラス５（室内側面５ａ）と第二上下方向部分３４ｃとの間に位置している。
【００４２】
なお、横框第二折り曲げ面３５ｃは、室内側面５ａに直接的又は間接的に（本実施の形態においては、間接的に）接触する。すなわち、横框第二折り曲げ面３５ｃは、ガスケット３８を介して室内側面５ａに接触している。一方で、横框第一折り曲げ面３５ｂは、室外側面４ａに接触していない。
【００４３】
また、横框呑み込み溝３４内には、加熱発泡材７０が設けられている。この加熱発泡材７０は、横框呑み込み溝３４内において、横框基面３５ａの見込み方向における室内側に設けられ、かつ、横框基面３５ａと下端３ｂ（又は、上端３ｃ）との間に位置している。
【００４４】
＝＝＝本実施の形態に係る扉２０の有効性について＝＝＝
上述したとおり、本実施の形態においては、横框補強部材３５の横框第二折り曲げ面３５ｃが、室内側面５ａに直接的又は間接的に接触する一方で、横框第一折り曲げ面３５ｂは、室外側面４ａに接触しないこととした。また、縦框補強部材３７の縦框第一折り曲げ面３７ｂが、室外側面４ａに直接的又は間接的に接触する一方で、縦框第二折り曲げ面３７ｃは、室内側面５ａに接触しないこととした。そのため、組み立て性が良く、横框補強部材３５及び縦框補強部材３７によるガラス保持性能が高い扉２０を実現することが可能となる。
【００４５】
すなわち、従来例においては、横框補強部材３５の横框第一折り曲げ面３５ｂと横框第二折り曲げ面３５ｃの双方が、室外側面４ａや室内側面５ａに直接的又は間接的に接触していた。そのため、扉２０を組み立てる際に、接触点が複数あるため、折り曲げ面とガラス面間の摩擦が大きくなることに起因して、組み立て性が良好でない問題が生じていた。また、縦框補強部材３７についても同様に、縦框第一折り曲げ面３７ｂと縦框第二折り曲げ面３７ｃの双方が、室外側面４ａや室内側面５ａに直接的又は間接的に接触していたため、組み立て性が良好でない問題が生じていた。
【００４６】
そこで、本実施の形態においては、横框補強部材３５の横框第二折り曲げ面３５ｃが、室内側面５ａに直接的又は間接的に接触する一方で、横框第一折り曲げ面３５ｂは、室外側面４ａに接触しないこととした。また、縦框補強部材３７の縦框第一折り曲げ面３７ｂが、室外側面４ａに直接的又は間接的に接触する一方で、縦框第二折り曲げ面３７ｃは、室内側面５ａに接触しないこととした。そのため、扉２０を組み立てる際に、接触点が減少し、組み立て性が向上する。
【００４７】
また、本実施の形態においては、横框補強部材３５と縦框補強部材３７とで、複層ガラス３に接触させる面（換言すれば、複層ガラス３を抑える面）を変えることとした。つまり、横框補強部材３５と縦框補強部材３７の双方とも室外側面４ａに接触させたり、横框補強部材３５と縦框補強部材３７の双方とも室内側面５ａに接触させたりするのではなく、横框補強部材３５及び縦框補強部材３７の一方を室外側面４ａに、他方を室内側面５ａに接触させることとした。
【００４８】
したがって、図６から容易に理解できるように、火災により、アルミニウム製又は合成樹脂製の横框呑み込み溝３４及び縦框呑み込み溝３６が溶融したとしても、横框補強部材３５及び縦框補強部材３７による複層ガラス３の保持が適切に成されることとなる。すなわち、組み立て性を考慮して、横框第一折り曲げ面３５ｂ（縦框第二折り曲げ面３７ｃ）を室外側面４ａ（室内側面５ａ）に接触させないように設計を改変しても、横框補強部材３５及び縦框補強部材３７によるガラス保持性能を維持することが可能となる。
【００４９】
＝＝＝その他の実施の形態＝＝＝
上記の実施の形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００５０】
上記においては、戸体として扉２０を例に挙げたが、これに限定されるものではない。例えば、障子や窓であってもよい。
【００５１】
また、上記においては、一対の一方側枠として横框を、一対の他方側枠として縦框を、それぞれ例に挙げたが、これに限定されるものではない。例えば、戸体がフィックス窓（はめ殺し窓）の場合には、横枠及び縦枠がそれぞれ一対の一方側枠及び一対の他方側枠に相当することとなり、このようなケースも本発明の範疇である。
【００５２】
また、上記においては、パネル体としてガラスを例に挙げたが、これに限定されるものではなく、ガラスではないパネル体であってもよい。また、ガラスとして複層ガラス３を例に挙げたが、これに限定されるものではない。例えば、単板ガラスであっても、３枚以上のガラスであってもよい。
【００５３】
また、上記実施の形態においては、パネル体（ガラス）の一方面として室外側面４ａを例に挙げ、パネル体（ガラス）の他方面として室内側面５ａを例に挙げたが、これに限定されるものではなく、一方面が室内側面５ａで他方面が室外側面４ａであってもよい。すなわち、横框補強部材３５の方が室外側面４ａに接触し、縦框補強部材３７の方が室内側面５ａに接触することとしてもよい。
【００５４】
また、上記実施の形態においては、折り曲げ面が室外側面４ａや室内側面５ａに間接的に接触する例を挙げたが、これに限定されるものではなく、折り曲げ面が室外側面４ａや室内側面５ａに直接的に接触することとしてもよい。また、折り曲げ面が室外側面４ａや室内側面５ａに間接的に接触する例として、ガスケット３８を介して接触する例を挙げたが、これに限定されるものではない。例えば、加熱発泡材７０を介して接触する場合や、ガスケット３８と加熱発泡材７０の双方を介して接触する場合であってもよい。
【００５５】
また、上記実施の形態において、縦框補強部材３７は、縦框呑み込み溝３６の長手方向における一端部から他端部に亘って設けられていることとした。また、横框補強部材３５は、横框呑み込み溝３４の長手方向における一端部から他端部に亘って設けられていることとした。しかしながら、これに限定されるものではなく、縦框補強部材３７や横框補強部材３５は、全長ではなくピース状の部材であってもよい。
【００５６】
また、上記実施の形態においては、横框第一折り曲げ面３５ｂを室外側面４ａに接触させず、縦框第二折り曲げ面３７ｃを室内側面５ａに接触させないようにしたが、これらの接触させないようにした折り曲げ面に加熱発泡材７０を貼付することとしてもよい。すなわち、図７Ａ及び図７Ｂに示すように、横框第一折り曲げ面３５ｂ及び縦框第二折り曲げ面３７ｃに加熱発泡材７０を設けることとしてもよい（かかる例を、第二実施形態と呼ぶ）。第二実施形態の上記実施の形態との相違点は、当該加熱発泡材７０に係る構成のみである。
【００５７】
すなわち、加熱発泡材７０は、前述したとおり、縦框呑み込み溝３６内において、縦框基面３７ａの見込み方向における室内側に設けられ、かつ、縦框基面３７ａと側端３ａとの間に位置しているが、第二実施形態においては、これに加えて、縦框第二折り曲げ面３７ｃに設けられ、縦框第二折り曲げ面３７ｃと室内側面５ａとの間（具体的には、縦框第二折り曲げ面３７ｃとガスケット３８との間）に位置している。なお、非発泡時において、加熱発泡材７０は、ガスケット３８に接触していない。
【００５８】
また、加熱発泡材７０は、前述したとおり、横框呑み込み溝３４内において、横框基面３５ａの見込み方向における室内側に設けられ、かつ、横框基面３５ａと下端３ｂ（又は、上端３ｃ）との間に位置しているが、第二実施形態においては、これに加えて、横框第一折り曲げ面３５ｂに設けられ、横框第一折り曲げ面３５ｂと室外側面４ａとの間（具体的には、横框第一折り曲げ面３５ｂとガスケット３８との間）に位置している。なお、非発泡時において、加熱発泡材７０は、ガスケット３８に接触していない。
【００５９】
そして、第二実施形態によれば、火災の際に縦框第二折り曲げ面３７ｃに設けられた加熱発泡材７０が膨張して、縦框第二折り曲げ面３７ｃと室内側面５ａとの間に形成されている隙間を埋めてくれるので、当該隙間を火炎が通過することが適切に抑えられる。同様に、火災の際に横框第一折り曲げ面３５ｂに設けられた加熱発泡材７０が膨張して、横框第一折り曲げ面３５ｂと室外側面４ａとの間に形成されている隙間を埋めてくれるので、当該隙間を火炎が通過することが適切に抑えられる。そのため、防火性能を向上させることが可能となる。
【符号の説明】
【００６０】
３  複層ガラス
４ａ  室外側面、５ａ  室内側面
２０  扉
２１  戸先框、２２  吊り元框、２４  上框、２５  下框
３０  ガラス呑み込み溝、３４  横框呑み込み溝
３５  横框補強部材
３５ａ  横框基面、３５ｂ  横框第一折り曲げ面、３５ｃ  横框第二折り曲げ面
３６  縦框呑み込み溝
３７  縦框補強部材
３７ａ  縦框基面、３７ｂ  縦框第一折り曲げ面、３７ｃ  縦框第二折り曲げ面
７０  加熱発泡材
【図１】
2016030996.tif 000003
【図２】
2016030996.tif 000004
【図３】
2016030996.tif 000005
【図４Ａ】
2016030996.tif 000006
【図４Ｂ】
2016030996.tif 000007
【図５】
2016030996.tif 000008
【図６】
2016030996.tif 000009
【図７Ａ】
2016030996.tif 000010
【図７Ｂ】
2016030996.tif 000011